(57)【要約】      （修正有）【課題】エレベータのリニューアル作業時に仮設操作盤を用いる必要を無くして作業を短時間で遂行できる工法を提供する。【解決手段】既設エレベータの新旧機器を交換するために、夜間に、旧機器による運転を可能にしたまま、新機器のうち旧機器に対して併設が可能な操作盤などの併設可能新機器を取り付けてこれらを互いにケーブルで接続する行程と、昼間に、乗客に旧機器による運転を供する行程と、夜間に、旧機器を新機器のうち旧機器に対して併設が不可能な併設不可能新機器で置き換え、新機器による運転を可能にする行程とを備えたエレベータのリニューアル工法。【選択図】図３
2010179998.tif 000002
【特許請求の範囲】
【請求項１】
既設エレベータの旧機器を新機器と交換してエレベータをリニューアルするエレベータのリニューアル工法であって、
夜間に、上記旧機器は残して上記旧機器による運転を可能にしたまま、上記新機器のうち上記旧機器に対して併設することができる少なくともかご内の操作盤を含む併設可能新機器を取り付けて上記併設可能新機器を互いにケーブルで接続する行程と、
昼間に、乗客に上記旧機器による運転を供する行程と、
夜間に、上記旧機器を上記新機器のうち上記旧機器に対して併設することができない併設不可能新機器で置き換え、上記新機器による運転を可能にする行程とを備えたことを特徴とするエレベータのリニューアル工法。
【請求項２】
上記併設可能新機器を取り付けてこれら併設可能新機器を互いにケーブルで接続する行程と、上記昼間に、乗客に上記旧機器による運転を供する行程とをリニューアル作業の進捗状況に応じて繰り返すことを特徴とする請求項１に記載のエレベータのリニューアル工法。
【請求項３】
上記併設可能新機器が、制御盤、昇降路の終点スイッチ、移動ケーブルおよび中継装置を含むことを特徴とする請求項１あるいは２に記載のエレベータのリニューアル工法。
【請求項４】
上記かご内の新操作盤は、上記旧機器である上記操作盤が設けられている位置と異なる位置に設けられることを特徴とする請求項１〜３のいずれか一項に記載のエレベータのリニューアル工法。
【請求項５】
上記新操作盤が、上記操作盤が取り付けられた側板と入り口を挟んで反対側の側板に取り付けられることを特徴とする請求項４に記載のエレベータのリニューアル工法。
【請求項６】
上記新機器による運転を可能にする行程の後に、エレベータから上記旧機器をすべて撤去する行程を備えたことを特徴とする請求項１〜５のいずれか一項に記載のエレベータのリニューアル工法。
【発明の詳細な説明】
【技術分野】
【０００１】
本発明はエレベータのリニューアル工法に関するものである。
【背景技術】
【０００２】
エレベータのリニューアル作業には通常は数日掛かってしまうので、作業を実施する場合、エレベータの停止時間を極力短くして稼動時間を減少させないようにすることが客先より要求される。このための一般的工法としては、エレベータの乗客が多い昼間にはリニューアル工事を行わずにエレベータを稼動させ、エレベータの乗客が少ない夜間に作業を行うという工法が採用される。その場合、エレベータを昼間稼動させるためにかご内に操作盤を仮設して置き、この仮設の操作盤を用いてエレベータを稼動させていた。
【０００３】
例えば、連続不稼働時間を大幅に低減できるエレベータの改修方法として、既設かご位置表示器と既設枠体を取り外す工程と既設操作盤と既設側板を取り外す工程とを実施した後、既設枠体に替えて改修用枠体を乗りかごドアの上方に取り付ける工程と、既設側板に替えて改修用側板を乗りかごドアの右袖壁に取り付ける工程とを実施した後、仮設かご位置表示器及び既設操作盤を改修用側板に仮保持する工程とからなる第１工事工程を実施した後、エレベータの通常運転工程を実施し、その後、改修用側板に既設操作盤に替えて改修用操作盤を取り付ける工程と改修用側板に前記仮設かご位置表示器に替えて改修用操作盤を取り付ける工程とからなる第２工事工程を実施する工法が提案されている（例えば特許文献１参照）。
【０００４】
また、既設のエレベータ制御装置を新式のエレベータ制御装置に取り替える第１工事と、既設の乗りかごを新式の乗りかごに取り替える第２工事とを時期をずらして実施するエレベータの改修方法においては、第１工事を第２工事よりも先に行なうとともに、第１工事では、新式のエレベータ制御装置に対応する新式の操作盤を、既設の乗りかごの側板に取付部材を介して取り付け、また第２工事では、新式の操作盤を既設の乗りかごから取り外し、新設した新式の乗りかごに取り付ける工法もある（例えば特許文献２参照）。
【０００５】
さらに、連続停止期間を短縮してエレベータ利用者への迷惑を少なくすために、エレベータの運転を停止して行なう第２期作業の前後に、エレベータの運転を可能にする状態を伴う第１期作業と第３期作業を行なうと共に、エレベータの運転を停止して行なう第２期作業を機械室周辺作業と、乗かご周辺作業とに分け、しかもそれらを並行して実施するようにして、エレベータの連続停止となる作業時間を短縮する工法も提案されている（例えば特許文献３参照）。
【先行技術文献】
【特許文献】
【０００６】
【特許文献１】特開２００５−１９４０１９号公報
【特許文献２】特開２００４−１０３０５号公報
【特許文献３】特開平７−２８５７５４号公報
【発明の概要】
【発明が解決しようとする課題】
【０００７】
このような従来のエレベータのリニューアル工法においては、既設操作盤を取り付ける同じ位置に新操作盤を取り付けていたが、かご内の操作盤の取り外し取り付けは特に複雑で時間の掛かる作業であるため、短時間での新旧操作盤の交換は困難で、リニューアル作業の途中で既設エレベータを稼動させる必要がある場合には、作業のために外した旧操作盤をかご内の別の位置に再度仮設する必要があった。
【０００８】
そのため旧操作盤を取り外し、かご内に仮設操作盤を仮設し、リニューアル工事の終了後に仮設操作盤を取り外すという煩雑で余分な作業が発生して工事期間の増大の要因になっていた。またエレベータの利用者は慣れない仮設操作盤にて操作する必要があり、利便性の点でも問題があった。
【０００９】
従ってこの発明の目的は、エレベータのリニューアル作業時にかご内の仮設操作盤を用いる必要を無くし、既設の旧操作盤を利用しながらリニューアル作業を短時間で遂行できるエレベータのリニューアル工法を提供することである。
【課題を解決するための手段】
【００１０】
この発明のエレベータのリニューアル工法は、既設エレベータの旧機器を新機器と交換してエレベータをリニューアルするエレベータのリニューアル工法であって、夜間に、旧機器は残して旧機器による運転を可能にしたまま、新機器のうち旧機器に対して併設することができる少なくともかご内の操作盤を含む併設可能新機器を取り付けてこれら併設可能新機器を互いにケーブルで接続する行程と、昼間に、乗客に旧機器による運転を供する行程と、夜間に、旧機器を新機器のうち旧機器に対して併設することができない併設不可能新機器で置き換え、新機器による運転を可能にする行程とを備えたことを特徴とするものである。
【発明の効果】
【００１１】
この発明のエレベータのリニューアル工法によれば、工期が短縮され、利用者に違和感を与えないで作業ができるという効果が得られる。
【図面の簡単な説明】
【００１２】
【図１】この発明のリニューアル工法を適用できるエレベータを示す概略図である。
【図２】この発明のリニューアル工法によってリニューアル中で、既設操作盤と新設操作盤とが併設されている状態を示すエレベータの扉装置の概略正面図である。
【図３】この発明のリニューアル工法を表す概略作業タイムチャートである。
【発明を実施するための形態】
【００１３】
以下、この発明の実施の形態について説明する。
【実施例１】
【００１４】
図１は、この発明のリニューアル工法を適用できるエレベータ装置のシステムを構成する主要機器を示すものである。図１のエレベータ装置において、機械室１には巻上モータを含む巻上機２、制御盤３、調速機４が設けられており、昇降路５には、かご６、釣り合いおもり７、かご６と釣り合いおもり７を連結する主索８、ガイドレール９、終点スイッチ１０が設けられており、かご６には、ドアモータを含むドア駆動装置１１およびかご内の操作盤１２が設けられており、乗場１３には操作盤１４が設けられており、ピット１５には緩衝器１６が設けられている。制御盤３とかご６の間は移動ケーブル１７で接続され、かご６と昇降路５側の終点スイッチ１０等の機器との通信のために中継装置１８が設けられている。
【００１５】
実際のリニューアル工法においては、リニューアルの目的や、顧客の要求によってその内容は様々であり、エレベータの構造、台数や建物の高さなどによって工期も様々であるが、ここでは、図１に示すエレベータ装置において、交流制御方式をインバータ制御方式に切り替える場合のリニューアル工法を例として説明する。また、リニューアルの対象となる機器は、例えば機械室１の巻上機２の巻上モータおよび制御盤３、昇降路５の終点スイッチ１０、かご６上のドア駆動装置１１であり、またかご６内の操作盤１２、乗場１３の操作盤１４、これら機器に関係する移動ケーブル１７および中継装置１８であるとする。このような場合、通常のリニューアル作業の工期は２〜３日程度であるが、昼間には乗客の搬送のために通常運転させることが要求されるので、作業は８時間の夜間作業を数回行い、間の昼間は作業を中断して通常運転を行わせる。
【００１６】
このような場合のこの発明によるリニューアル工法においては、第１作業段階は、既設エレベータの旧機器はそのままにして動作可能としておき、新機器のうち旧機器に対して付加的に併設できる少なくともかご内の操作盤を含む併設可能新機器を取り付ける段階であり、この作業段階の後には昼間のエレベータの通常運転が可能とされている。第２作業段階は、エレベータの旧機器を取り外して、新機器のうち旧機器に対して併設することができない併設不可能新機器で置き換え、新機器による運転に切り替える段階であり、この作業段階の後の昼間のエレベータの通常運転は新機器により行われる。第３作業段階は、取り外した旧機器の撤去、搬出作業や、各部の仕上げ作業をする段階である。次に各作業段階をさらに詳しく説明する。
【００１７】
第１作業段階：（新機器の併設取り付け）
第１回の夜間作業として、交換の必要な機器のうち旧機器に対して併設することができる併設可能新機器（例えば、制御盤３、終点スイッチ１０、移動ケーブル１７、中継装置１８、新操作盤２２（図２参照））を既設の旧機器に併設して取り付け、これら新機器を新ケーブルで接続する。この作業により新機器の取り付け作業が部分的に完了した状態となり、またエレベータの旧機器での運転を引き続き行うことができるようになる。この作業は、夜間の８時間程度を使って順次行うことが可能である。このとき併設して取り付けるべき新機器は、少なくともかご６内の新操作盤２２である。
【００１８】
図２には、かご６を内側から見た状態を描いて示すが、かご６には、扉１９によって開閉される入り口２０の両側に側板２１が設けられていて、一方の側板２１には既設の旧機器である既設の操作盤１２が設けられている。この発明による夜間の新機器の併設取り付け作業の一部として、かご６の側板２１に取り付けられた旧操作盤１２はそのままに、入り口２０の反対側の側板２１に新操作盤２２を取り付ける。このように新操作盤２２は、旧操作盤１２と相反する側に取り付けられる。取り付けに必要なかご内の追加加工もケーブル配線も同時に完了させておき、この作業期間中に行った他の新機器の併設作業も完了させる。乗場１３側の操作盤１４については交換作業が容易であるのでこのような併設作業は行なわない。この状態では旧機器には手が付けられていないので旧機器による運転ができる状態である。
【００１９】
この時、かご６内の旧機器である操作盤１２は、元のままの状態であるので、昼間の運転には操作性を含めて支障を及ぼさないと同時に、新操作盤２２を取り付けるに当たっては、操作盤１２とは別の位置に取り付けるので、作業を急いで複雑な作業を無理に一晩で完了させる必要も無くなり、作業者のペースで作業でき、大きなメリットとなる。従来の工法によるこの作業は、かご６に追加加工や仕上げ加工が必要であり、かご６内での限られた作業スペースでの作業であることから、時間を要する作業であった。
【００２０】
このように、エレベータは少なくとも操作盤１２を含む旧機器による運転ができる状態であるので、夜間の作業時間が終了した後には、昼間の通常の稼動ができる。すなわち、乗客にとってエレベータはリニューアル作業の開始前と同じ状態で、旧機器である乗場１３の操作盤１４とかご６内の操作盤１２とを使用してエレベータを利用することができる。従前のように慣れない仮設の操作盤によって慣れない操作を強要されることが無く、乗客に不安を抱かせない。昼間の運転のためには、側板２１に取り付けた新操作盤２２をカバーで覆って置くのが望ましい。
【００２１】
第２作業段階：（新旧切り替え作業）
第２回の夜間作業として、第１回の夜間作業で残して置いた旧機器のうち操作盤１２を除いた旧機器（例えば巻上機２、ドア駆動装置１１および乗場操作盤１４）を対応する併設不可能新機器（例えば巻上機２、ドア駆動装置１１および乗場操作盤１４に対応する新機器）で置き換え、交換すべき機器をすべて新機器とする。また、置き換えた新機器の配線作業も行い、エレベータの新機器による運転ができるようにする。これらの作業は分担してかつ独立作業が可能なため一晩（８時間）あれば各機器の交換は完了できる。
【００２２】
このように、エレベータは新機器による運転ができる状態であるので、第２回の夜間作業が終了した後には、昼間の通常の稼動ができる。すなわち、乗客にとってエレベータはリニューアル作業が完了した状態であって、乗場１３の新機器である操作盤１４とかご６内の新操作盤２２を使用してリニューアルされたエレベータを利用することができる。従前のように慣れない仮設の操作盤によって慣れない操作を強要されることが無く、乗客に不安を抱かせない。昼間の運転のためには、側板２１に取り付けた新操作盤２２をカバーで覆って置くのが望ましい。
【００２３】
第３作業段階：（既設機器の撤去）
夜間作業により、エレベータの旧機器のすべてをエレベータから撤去して搬出し、仕上げ作業を行う。これまで残して置いた既設操作盤を含めた既設機器の撤去及び旧機器である操作盤１２を取り外した側板２１の交換などの仕上げ作業を順次夜間に実施する。以上の作業について簡単にタイムチャートを図３に示す。
【００２４】
以上に説明したように、この発明のエレベータのリニューアル工法は、既設エレベータの旧機器を新機器と交換してエレベータをリニューアルするために、夜間に、上記旧機器は残して上記旧機器による運転を可能にしたまま、上記新機器のうち上記旧機器に対して併設することができる少なくともかご内の操作盤を含む併設可能新機器を取り付けて上記併設可能新機器を互いにケーブルで接続する行程と、昼間に、乗客に上記旧機器による運転を供する行程と、夜間に、上記旧機器を上記新機器のうち上記旧機器に対して併設することができない併設不可能新機器で置き換え、上記新機器による運転を可能にする行程とを備えている。
【００２５】
しかしながら、併設可能新機器を取り付けてこれら併設可能新機器を互いにケーブルで接続する行程と、昼間に乗客に旧機器による運転を供する行程とをリニューアル作業の進捗状況に応じて繰り返すこともできるし、併設可能新機器が、制御盤、昇降路の終点スイッチ、移動ケーブルおよび中継装置を含んでいてもよい。
【００２６】
また、かご内の新操作盤は、旧機器である操作盤が設けられている位置と異なる位置に設けられるようにしてもよいし、新操作盤は、操作盤が取り付けられた側板と入り口を挟んで反対側の側板に取り付けられるようにしてもよい。さらに新機器による運転を可能にする行程の後に、エレベータから旧機器をすべて撤去する行程を備えていてもよい。
【００２７】
以上に図示して説明したエレベータ装置は単なる例であって様々な変形が可能であり、またそれぞれの具体例の特徴を全てあるいは選択的に組み合わせて用いることもできる。例えば、発明の説明のためにリニューアル作業として交流制御をインバータ制御に切り替えるためのものとして説明したが、その他の目的のためのリニューアル工法にも適用できる。またリニューアルする機器の範囲も上に説明した範囲に限られない。
【産業上の利用可能性】
【００２８】
本発明は、エレベータのリニューアル工期の短縮に活用できる。
【符号の説明】
【００２９】
１  機械室、２  巻上機、３  制御盤、４  調速機、５  昇降路、６  かご、７  つり合いおもり、８  主索、９  ガイドレール、１０  終点スイッチ、１１  ドア駆動装置、１２  操作盤、１３  乗場、１４  操作盤、１５  ピット、１６  緩衝器、１７  移動ケーブル、１８  中継装置、１９  扉、２０  入り口、２１  側板、２２  新操作盤。
【図１】
2010179998.tif 000003
【図２】
2010179998.tif 000004
【図３】
2010179998.tif 000005